(57)【要約】【課題】検出面に傷がつき難く、かつゴミの影響を受け難い光学入力装置を備えた電子機器を提供する。【解決手段】電子機器１００は、光学入力装置１を有する。光学入力装置は、検出面８０ｆと、該検出面を透過して、検出面に接触した接触物を照明する照明光を発する光源８８１と、照明光のうち接触物で反射して検出面を透過した反射光を結像させる結像光学部８８０ａを有する光学部材８８０と、反射光により形成された接触物の光学像を光電変換する受光センサ８８２とを有する。検出面は、電子機器の外装面８０ｈのうち検出面を囲む周囲部分より凹んだ凹曲面形状を有する。結像光学部の光軸位置は、検出面における中心位置または最も凹んだ位置に対してずれている。【選択図】図８
2020181373.tif 000002
【特許請求の範囲】
【請求項１】
光学入力装置を有する電子機器であって、
前記光学入力装置は、
検出面と、
前記検出面を透過して、前記検出面に接触した接触物を照明する照明光を発する光源と、
前記照明光のうち前記接触物で反射して前記検出面を透過した反射光を結像させる結像光学部を有する光学部材と、
前記反射光により形成された前記接触物の光学像を光電変換する受光センサとを有し、
前記検出面は、前記電子機器の外装面のうち前記検出面を囲む周囲部分より凹んだ凹曲面形状を有し、
前記結像光学部の光軸位置が、前記検出面における中心位置または最も凹んだ位置に対してずれていることを特徴とする電子機器。
【請求項２】
前記電子機器は、画像および情報を表示可能な表示部を有し、
前記受光センサからの出力を用いて前記検出面上での前記接触物の移動を検出することに応じて、前記表示部での表示を制御する制御手段を有することを特徴とする請求項１に記載の電子機器。
【請求項３】
前記周囲部分は、前記検出面の外縁に隣接していることを特徴とする請求項１または２に記載の電子機器。
【請求項４】
前記周囲部分からの前記検出面の凹み量が０．０１５ｍｍ以下であることを特徴とする請求項１から３のいずれか一項に記載の電子機器。
【請求項５】
前記検出面の直径をαとするとき、前記凹曲面形状の曲率半径ＳＲ（ｍｍ）が、
ＳＲ≧６．２５α２＋０．０１
なる条件を満足することを特徴とする請求項１から４のいずれか一項に記載の電子機器。
【請求項６】
前記曲率半径ＳＲが、
ＳＲ≧８．３３α２＋０．００７５
なる条件を満足することを特徴とする請求項５に記載の電子機器。
【請求項７】
前記周囲部分が、前記検出面の外縁に向かって外側への突出量が大きくなる凸形状を有することを特徴とする請求項１から６のいずれか一項に記載の電子機器。
【請求項８】
前記周囲部分が梨地加工されていることを特徴とする請求項１から７のいずれか一項に記載の電子機器。
【発明の詳細な説明】
【技術分野】
【０００１】
本発明は、デジタルカメラ等の電子機器に関し、特に検出面に接触した指等の接触物の動きを検出する光学入力装置を備えた電子機器に関する。
【背景技術】
【０００２】
上記のような電子機器として、特許文献１には、筐体の外観面より凹んだ指案内面と、該指案内面に続く検出面（密着面）を有する光学入力装置としての光学式トラッキングポインタを備えたタブレットコンピュータが開示されている。指紋を読み取るために指が接触する検出面が外観面よりも凹んでいることにより、検出面に傷がつき難くなる。
【先行技術文献】
【特許文献】
【０００３】
【特許文献１】特許第４３７４０４９号公報
【発明の概要】
【発明が解決しようとする課題】
【０００４】
しかしながら、特許文献１にて開示された光学入力装置では、密着面がその周囲の指案内面よりも凸となるように形成されているため、これが抵抗となって指の滑りが悪くなるおそれがある。このため密着面を指案内面に続けて凹形状に形成してもよいが、これでは密着面の中心部（最も凹んだ部分）に微細なゴミが溜まり易くなり、溜まったゴミによって指紋の検出が妨げられるおそれがある。
【０００５】
本発明は、検出面に傷がつき難く、かつゴミの影響を受け難い光学入力装置を備えた電子機器を提供する。
【課題を解決するための手段】
【０００６】
本発明の一側面としての電子機器は、光学入力装置を有する。光学入力装置は、検出面と、該検出面を透過して、検出面に接触した接触物を照明する照明光を発する光源と、照明光のうち接触物で反射して検出面を透過した反射光を結像させる結像光学部を有する光学部材と、反射光により形成された接触物の光学像を光電変換する受光センサとを有する。検出面は、電子機器の外装面のうち検出面を囲む周囲部分より凹んだ凹曲面形状を有する。そして結像光学部の光軸位置が、検出面における中心位置または最も凹んだ位置に対してずれていることを特徴とする。
【発明の効果】
【０００７】
本発明によれば、検出面に傷がつき難く、かつゴミの影響を受け難い光学入力装置を備えた電子機器を実現することができる。
【図面の簡単な説明】
【０００８】
【図１】本発明の実施例であるカメラシステムの外観を示す斜視図。
【図２】上記カメラシステムに備わるＡＦ−ＯＮボタンおよびシャッタボタンの配置を示す斜視図。
【図３】上記カメラシステムの背面図および上面図。
【図４】上記ＡＦ−ＯＮボタンおよびシャッタボタンの断面図。
【図５】上記カメラシステムの電気的構成を示すブロック図。
【図６】上記カメラシステムを用いた撮像例を説明する図。
【図７】上記ＡＦ−ＯＮボタンと光学トラッキングポインタの構成を示す上面図および断面図。
【図８】上記光学トラッキングポインタの概略構成を示す図。
【発明を実施するための形態】
【０００９】
以下、本発明の実施例について図面を参照しながら説明する。
【実施例１】
【００１０】
図１（Ａ），（Ｂ）はそれぞれ、本発明の実施例であるレンズ交換式デジタルカメラシステム１０００の前面側および背面側から見た外観を示す。デジタルカメラシステム１０００は、それぞれ電子機器であるカメラ本体１００と交換レンズユニット１５０を有する。交換レンズユニット１５０は、撮像レンズを保持している。
【００１１】
図１（Ａ）において、カメラ本体１００には、前方に突出する第１のグリップ部１０１が設けられている。ユーザは、第１のグリップ部１０１を右手で握ってカメラシステム１０００を正姿勢で構えた状態でシャッタボタン１０３を操作することができる。またカメラ本体１００には、前方に突出する第２のグリップ部１０２が設けられている。ユーザは、第２のグリップ部１０２を右手で握ってカメラシステム１０００を縦姿勢で構えた状態でシャッタボタン１０５を操作することができる。
【００１２】
シャッタボタン１０３，１０５が半押し（第１ストローク）操作されると、ＡＦ（オートフォーカス）処理、ＡＥ（自動露出）処理、ＡＷＢ（オートホワイトバランス）処理およびＥＦ（フラッシュプリ発光）処理等の撮像準備動作が行われる。またシャッタボタン１０３，１０５が全押し（第２ストローク）操作されると、記録用撮像と撮像画像（画像データ）の記録を含む一連の撮像動作が行われる。
【００１３】
図１（Ｂ）において、電源スイッチ４３は、カメラシステム１０００の電源をＯＮ／ＯＦＦするためにユーザにより操作される。ファインダ接眼レンズ１６は、交換レンズユニット１５０から入射した光により形成される被写体像（光学像）を観察する際にユーザが覗く箇所である。ユーザは、ファインダ接眼レンズ１６を通して、後述するファインダ内表示器に表示される情報とともに被写体像を観察することができる。
【００１４】
表示部としての背面モニタ２８は、撮像画像や各種情報を表示可能である。背面モニタ２８の表示面には、タッチ操作を検出可能なタッチパネルセンサが設けられている。
【００１５】
ＡＦ−ＯＮボタン８０ａ，８０ｂ，８０ｃ，８０ｄはそれぞれ、そのユーザ操作に応じてＡＦ処理を開始させるために設けられている。ＡＦ−ＯＮボタン８０ａ〜８０ｄの操作を解除することでＡＦ処理を停止させることもできる。ＡＦ−ＯＮボタン８０ａ〜８０ｄおよびシャッタボタン１０３，１０５の内側には、光学トラッキングポインタ（ＯＴＰ：光学入力装置）１，２，３，４，５，６が組み込まれている。各ＯＴＰは、ユーザの指等の接触物が有する指紋等の模様の動きを光学的に検出して電気信号を出力するタッチ操作部材である。ＯＴＰからの電気信号を用いることで、接触物の移動（移動方向や移動量）の情報を取得することができる。
【００１６】
図８は、ＡＦ−ＯＮボタン８０ａに組み込まれたＯＴＰ１を示す。ＯＴＰ１は、ＡＦ−ＯＮボタン８０ａの一部として形成された検出面８０ｆと、光源８８１と、光学部材８８０と、受光センサ８８２とを有する。光学部材８８０は、照明用レンズ部８８０ｂと検出用レンズ部８８０ａとを有する。
【００１７】
光源８８１は赤外光等の照明光を発する。光学部材８８０は、光源８８１からの照明光を照明用レンズ部８８０ｂに導き、照明用レンズ部８８０ｂから検出面８０ｆに向けて照明光を照射する。検出面８０ｆを透過して該検出面８０ｆに接触した指の指紋で反射した反射光は、結像光学部としての検出用レンズ部８８０ａを介して受光センサ８８３の受光面上に結像する。受光センサ８８３は、イメージセンサ等の光電変換素子により構成され、受光面上に形成された指紋の光学像を光電変換して電気信号を生成する。この電気信号を用いることで、検出面８０ｆに対して指が接触したか否かを検出することができる。ユーザは、ＡＦ−ＯＮボタン８０ａ〜８０ｄの検出面８０ｆに対して指を触れたり離したりすることでＡＦ処理の開始と停止を指示することも可能である。
【００１８】
またユーザが検出面８０ｆ上で指を２次元方向に移動（スライド）させると、受光センサ８８２から出力される電気信号も変化する。システム制御部５０は、この電気信号に対する画像処理を行うことで、指の移動方向や移動量を示す情報を得ることができる。システム制御部５０は、得られた指の移動方向や移動量の情報を用いて、上述したファインダ内表示器や背面モニタ２８に表示されるＡＦ枠やメニュー画面におけるカーソルを移動させたり、シャッタスピード、ＩＳＯ感度、絞りおよび露出補正値等を変更したり、再生画像を切り替えたりすることができる。すなわち、ファインダ内表示器や背面モニタ２８における表示を制御する。
【００１９】
ＡＦ枠は、撮像画面内でのＡＦによるピント合わせの対象となる領域を示す矩形または円形の枠である。ＡＦ枠については、例えばカメラが移動する被写体にピントを合わせ続けるためのサーボＡＦを行っている間にユーザがＡＦ−ＯＮボタンに組み込まれたＯＴＰ上で指を移動させることで、被写体の移動に合わせてＡＦ枠を移動させることができる。ＯＴＰのさらなる詳細な構成については後述する。
【００２０】
ＯＴＰ１〜６が組み込まれたＡＦ−ＯＮボタン８０ａ〜８０ｄおよびシャッタボタン１０３，１０５は、それらに対するタッチ操作やスライド操作を行いつつ、直ちにＡＦ処理を開始させることができるようにするため、図２（Ａ）〜（Ｄ）および図３（Ａ）〜（Ｄ）に示すように配置されることが望ましい。図２（Ａ），（Ｃ）はそれぞれ背面側における互いに反対側の斜めから見た正姿勢のカメラシステム１０００を示し、図２（Ｂ），（Ｄ）はそれぞれ背面側における互いに反対側の斜めから見た縦姿勢のカメラシステム１０００を示している。また図３（Ａ），（Ｂ）は背面側から見た正姿勢のカメラ本体１００を示し、図３（Ｃ），（Ｄ）はそれぞれ左側面側および上面側から見た正姿勢のカメラシステム１０００を示している。
【００２１】
図２（Ａ）に示すように、シャッタボタン１０３は、正姿勢のカメラ本体１００における第１のグリップ部１０１を握った右手３０１の人差し指３０１ａで操作可能な位置に配置されている。つまり、シャッタボタン１０３は、正姿勢にあるカメラ本体１００を上面から見た際に第１のグリップ部１０１と重なる位置に配置されている。また図２（Ｂ）に示すように、シャッタボタン１０５は、縦姿勢のカメラ本体１００における第２のグリップ部１０２を握った右手３０１の人差し指３０１ａで操作可能な位置に配置されている。つまり、シャッタボタン１０５は、縦姿勢にあるカメラ本体１００を上面（正姿勢での右側面）から見た際に第２のグリップ部１０２と重なる位置に配置されている。
【００２２】
図２（Ｃ）に示すように、ＡＦ−ＯＮボタン８０ａは、正姿勢のカメラ本体１００における第１のグリップ部１０１を握った右手３０１の親指３０１ｂで操作可能な位置に配置されている。より具体的には、図３（Ａ）に示すように、ＡＦ−ＯＮボタン８０ａは、正姿勢のカメラ本体１００を背面側から見たときに第１のグリップ部１０１の上下方向の中心線Ｃ１よりも上側に配置されている。またＡＦ−ＯＮボタン８０ａは、背面モニタ２８の左右方向の中心線Ｃ２よりも右側で、かつファインダ６を囲む凸枠部６０１を避けた斜線範囲Ａに配置されることが望ましい。さらに左右方向におけるＡＦ−ＯＮボタン８０ａ（ＯＴＰ１）の配置位置について、左右方向における第１のグリップ部１０１の右端からファインダ接眼レンズ１６を囲む凸枠部６０１の中心までの距離とＡＦ−ＯＮボタン８０ａの中心までの距離をそれぞれ、Ｄ１，Ｄ２とするとき、
Ｄ１≧Ｄ２
なる条件を満足することが望ましい。この条件を満足することにより、ユーザがファインダ接眼レンズ１６を覗き込む際に、ユーザの眼とＡＦ−ＯＮボタン８０ａを操作する指とが干渉しないため、操作性が向上する。
【００２３】
また、ユーザがＡＦ−ＯＮボタン８０ａを操作した後にシャッタボタン１０３を操作するまでに第１のグリップ部１０１をしっかりと握り続けるためには、人差し指３０１ａで操作するシャッタボタン１０３と筐体を挟んで反対側に位置にＡＦ−ＯＮボタン８０ａがあることが望ましい。さらに第１のグリップ部１０１から手の腹を浮かせずにシャッタボタン１０３とＡＦ−ＯＮボタン８０ａを操作するためには、以下の条件を満足することが望ましい。前述したように左右方向における第１のグリップ部１０１の右端からＡＦ−ＯＮボタン８０ａの中心までの距離をＤ２とし、同じく左右方向における第１のグリップ部１０１の右端からシャッタボタン１０３の中心までの距離をＤ３とする。このとき、
Ｄ２≧Ｄ３
なる条件を満足することが望ましい。
【００２４】
背面モニタ２８に表示されたメニュー画面等をＡＦ−ＯＮボタン８０ａ（ＯＴＰ１）によって操作するときの操作性の観点から、ＡＦ−ＯＮボタン８０ａの配置位置が以下の条件が満足することが望ましい。前述したようにＡＦ−ＯＮボタン８０ａの中心までの距離をＤ２とし、同じく左右方向における第１のグリップ部１０１の右端から背面モニタ２８の中心までの距離をＤ４とする。このとき、
Ｄ４≧Ｄ２
なる条件を満足することが望ましい。この条件を満足することにより、ＡＦ−ＯＮボタン８０ａを操作する指で背面モニタ２８が隠れてしまうことを防ぐことができる。
【００２５】
図２（Ｄ）に示すように、ＡＦ−ＯＮボタン８０ｂは、縦姿勢のカメラ本体１００における第２のグリップ部１０２を握った右手３０１の親指３０１ｂで操作可能な位置に配置されている。より具体的には、図３（Ｂ）に示すように、ＡＦ−ＯＮボタン８０ｂは、正姿勢のカメラ本体１００を背面側から見たときに第２のグリップ部１０２の左右方向の中心線Ｃ３よりも右側に配置されている。さらにＡＦ−ＯＮボタン８０ｂは、背面モニタ２８の上下方向の中心線Ｃ４より下側の斜線範囲Ｂに配置されることが望ましい。
【００２６】
ＡＦ−ＯＮボタン８０ｃは、図２（Ｃ）に示すように、交換レンズユニット１５０の外周面（外装面）のうち、正姿勢のカメラ本体１００における第１のグリップ部１０１を握った右手３０１とは異なる左手３０２の親指３０２ａで操作可能な位置に配置されている。より具体的には、図３（Ｃ）に示すように、ＡＦ−ＯＮボタン８０ｃは、正姿勢のカメラシステム１０００を第１のグリップ部１０１とは反対側の左側面側から見たときに見える交換レンズユニット１５０上の斜線範囲Ｃに配置することが望ましい。またＡＦ−ＯＮボタン８０ｄは、図２（Ｄ）に示すように、交換レンズユニット１５０の外周面のうち、縦姿勢のカメラ本体１００における第２のグリップ部１０２を握った右手３０１とは異なる左手３０２の親指３０２ａで操作可能な位置に配置されている。より具体的には、図３（Ｄ）に示すように、ＡＦ−ＯＮボタン８０ｄは、縦姿勢のカメラシステム１０００を第２グリップ部１０２とは反対側の上面側から見たときに見える交換レンズユニット１５０上の斜線範囲Ｄに配置することが望ましい。
【００２７】
図４（Ａ）は、ＯＴＰ１を組み込んだＡＦ−ＯＮボタン８０ａの構成を示す。他のＡＦ−ＯＮボタン８０ｂ〜８０ｄ（ＯＴＰ２〜４）の構成も同様である。ＡＦ−ＯＮボタン８０ａは、カメラ本体１００又はレンズユニット１５０の外装面に対して垂直な方向に押し込まれることでオンする。
【００２８】
ＯＴＰ１は、ＡＦ−ＯＮボタン８０ａの内側に形成された凹部８０ｅ内に配置される。図７（Ａ）は、外装面に対して垂直な方向から見たＡＦ−ＯＮボタン８０ａおよびＯＴＰ１を示している。ＡＦ−ＯＮボタン８０ａは、外装面に対して垂直な方向に延びる中心軸ＣＡを中心とする円形に形成されている。ＡＦ−ＯＮボタン８０ａには、円形の検出面８０ｆと、該検出面８０ｆの外縁に隣接してこれを囲むように環状に形成されたボタン外装面（周囲部分）８０ｈとが形成されている。ボタン外装面８０ｈは、カメラ本体１００または交換レンズユニット１５０の外装面の一部でもある。検出面８０ｆは、鏡面として形成されており、外部からはＡＦ−ＯＮボタン８０ａの内側が見えないようになっている。
【００２９】
図７（Ｂ）は、図７（Ａ）に示したＡＦ−ＯＮボタン８０ａおよびＯＴＰ１をＤ−Ｄ線で切断したときの断面を示している。図８を用いて前述したように、光源８８１からの照明光は、光学部材８８０の照明用レンズ部８８０ｂを通って検出面８０ｆの内側から外側に向かって透過し、検出面８０ｆに接触した指に照射される。そして、指（指紋）からの反射光は、光学部材８８０の検出用レンズ部８８０ａを通って受光センサ８８２上に結像する。
【００３０】
図７（Ｂ）および図８に示すように、検出面８０ｆは、曲率半径ＳＲの凹曲面形状（凹球面形状）を有する。図８は、図７（Ｂ）では分かりにくい検出面８０ｆの凹球面形状を誇張して示している。
【００３１】
ＡＦ−ＯＮボタン８０ａにおいて、検出面８０ｆは他の部分と比較して肉厚が薄い部分であり、ＡＦ−ＯＮボタン８０ａの成型直後における熱収縮によって凹凸が生じ易い。鏡面として形成された検出面８０ｆではこのような凹凸が外観上、目立つ。このため、本実施例では、検出面８０ｆを、成型直後の熱収縮によって凹凸が発生しにくくなるように、その外縁（ボタン外装面８０ｈの内縁）から曲率半径ＳＲの緩やかな凹球面形状に形成されている。また検出面８０ｆを凹球面形状とすることで、検出面８０ｆに傷がつき難くすることができる。
【００３２】
また、検出用レンズ部８８０ａによって指紋からの反射光を受光センサ８８２上に結像させる際に、検出面８０ｆの中心部と周辺部との光路長の差をできるだけ小さくするためには、検出部８０ｆの中心部と周辺部の肉厚の差が０．０２ｍｍ以下であることが望ましい。このため、検出面８０ｆの直径をαとするとき、曲率半径ＳＲ（ｍｍ）は、
ＳＲ≧６．２５α２＋０．０１
なる条件を満足することが望ましい。指紋の検出に適した検出面８０ｆの直径αとしては、２〜１５ｍｍが望ましい。
【００３３】
さらに、ボタン外装面８０ｈに対して検出面８０ｆの凹み量が大きすぎると、指が検出面８０ｆに密着しにくくなり、指紋の検出不良が生ずるおそれがある。このため、ボタン外装面８０ｈに対する検出面８０ｆの凹み量は、０．０１５ｍｍ以下であることが望ましい。この場合、曲率半径ＳＲ（ｍｍ）は、
ＳＲ≧８．３３α２＋０．００７５
なる条件を満足することが望ましい。
【００３４】
また図７（Ａ），（Ｂ）および図８に示すように、本実施例では、光学部材８８０の円形の検出用レンズ８８０ａにおける光軸が通る中心位置（光軸位置）８８０ａｃは、検出面８０ｆのうち最も凹んだ中心位置８０ｉに対して、ｘ方向においてΔＡだけずれており、ｙ方向においてΔＢだけずれて配置されている。ｘ方向およびｙ方向は、検出用レンズ８８０ａの光軸に直交する方向である。
【００３５】
図８に示すように凹球面形状に形成された検出面８０ｆに微小なゴミＤＳが付着すると、そのゴミＤＳは検出面８０ｆのうち最も凹んだ中心位置８０ｉ付近に集まり易い。光学部材８８０の検出用レンズ部８８０ａの中心位置８８０ａｃが検出面８０ｆの中心位置８０ｉに一致していると、該中心位置８０ｉ付近に集まったゴミＤＳにより指紋の検出が妨げられるおそれがある。このため本実施例では、上記のように検出用レンズ８８０ａの中心位置８８０ａｃを検出面８０ｆの中心位置８０ｉに対してΔＡとΔＢだけずらすことで、検出面８０ｆの中心位置８０ｉ付近に集まったゴミＤＳが指紋検出に影響し難くしている。
【００３６】
なお、本実施例では検出用レンズ部８８０ａの中心位置８８０ａｃを検出面８０ｆの中心位置８０ｉに対してずらした構成としているが、これに限らず、検出用レンズ部の中心位置を、検出面のうち最も凹んだ位置、すなわちボタン外装面から最も離れた位置等、ゴミが溜まりやすい部分に対してずらせばよい。
【００３７】
また本実施例では検出面８０ｆが円形である場合について説明したが、四角形状等、他の形状を有していてもよい。四角形状の検出面の中心は、２本の対角線の交点等とすればよい。
【００３８】
さらに本実施例では、ボタン外装面８０ｈに、指の滑りをよくするために梨地処理が行われている。また、指を接触させる検出面８０ｆの位置をユーザに感覚的に分かり易くやすくするために、図８に分かり易く誇張して示すように、ボタン外装面８０ｈを、その内縁（検出面８０ｆの外縁）に向かってゆるやかに外側への突出量Ｐが大きくなる凸形状（凸斜面形状）とすることが望ましい。
【００３９】
図４（Ａ）において、ＡＦ−ＯＮボタン８０ａの直下には、アンダー操作部材９０が配置されている。アンダー操作部材９０の軸部９０ａは、ボタンベース６００に形成された穴部６００ａに図中の上下方向に摺動可能に嵌合している。ＡＦ−ＯＮボタン８０ａの下部の外周に形成された環状の凸部の全周がアンダー操作部材９０の接合部９０ｅに接着され、これによりＡＦ−ＯＮボタン８０ａとアンダー操作部材９０とそれらの間に挟まれて保持されたＯＴＰ１とが一体に上下方向に移動可能となっている。
【００４０】
カメラ本体１００の外装カバー（外装部材）１００ａとボタンベース６００との間には、シリコンラバー等の円筒形状の弾性部材７００が挟まれている。これにより、外装カバー１００ａとボタンベース６００との間からカメラ本体１００の内部に水や塵埃が侵入することが防止される。さらに、アンダー操作部材９０の外周に環状に形成された斜面部９０ｂと弾性部材７００の内周に環状に設けられた凸部７００ａとが全周で接触する。これにより、ＡＦ−ＯＮボタン８０ａと外装カバー１００ａとの間から水や塵埃がカメラ本体１００の内部に侵入することが防止される。
【００４１】
ＯＴＰ１はフレキシブル基板８００に実装されており、フレキシブル基板８００はアンダー操作部材９０に形成された穴部９０ｃを通ってカメラ本体１００内の不図示のメイン基板に接続されている。
【００４２】
アンダー操作部材９０の下には、導電ゴム５００ａを備えたスイッチゴム５００とフレキシブルプリント基板５０２が配置されている。スイッチゴム５００は、その弾性力によってアンダー操作部材９０、ＯＴＰ１およびＡＦ−ＯＮボタン８０ａを図示の位置（オフ状態）に保持している。
【００４３】
フレキシブルプリント基板５０２のうち導電ゴム５００ａに対向する部分には、導電パターン５０２ａが設けられている。ユーザがＡＦ−ＯＮボタン８０ａを押し下げると、アンダー操作部材９０によって押されたスイッチゴム５００が弾性変形して導電ゴム５００ａが導電パターン５０２ａに接触する。これにより、導電パターン５０２ａと導電ゴム５００ａにより構成されるＡＦ−ＯＮボタン８０ａのスイッチ部がオン状態となる。
【００４４】
なお、ＡＦ−ＯＮボタン８０ａをオフ状態に保持するために、スイッチゴム５００に代えて、ばねを用いてもよい。
【００４５】
図４（Ｂ）は、ＯＴＰ５を組み込んだシャッタボタン１０３の構成を示す。他のシャッタボタン１０５（ＯＴＰ６）の構成も同様である。シャッタボタン１０３は、ユーザによりカメラ本体１００の外装面に対して垂直な方向に第１ストロークだけ押し込まれることでスイッチＳＷ１をオンにして、第１のシャッタスイッチ信号を発生させる。さらにシャッタボタン１０３は、第２ストロークだけ押し込まれることでスイッチＳＷ２をオンにして、第２のシャッタスイッチ信号ＳＷ２を発生させる。
【００４６】
ＯＴＰ５は、シャッタボタン１０３の内側に形成された凹部１０３ｅ内に配置される。シャッタボタン１０３の直下には、アンダー操作部材９９が配置されている。アンダー操作部材９９の軸部９９ａは、ボタンベース６１０に形成された穴部６１０ｃに図中の上下方向に摺動可能に嵌合している。シャッタボタン１０３の下部の外周に形成された環状の凸部の全周がアンダー操作部材９９の接合部９９ｅに接着され、これによりシャッタボタン１０３とアンダー操作部材９９とそれらの間に挟まれて保持されたＯＴＰ５とが一体に上下方向に移動可能となっている。アンダー操作部材９９は、軸部９９ｃの下部に取り付けられた抜け止め部材６９がボタンベース６１０の下面に当接することによってボタンベース６１０からの上方への抜けが防止される。
【００４７】
カメラ本体１００の外装カバー１００ａとボタンベース６１０との間には、シリコンラバー等の円筒形状の弾性部材７１０が挟まれている。これにより、外装カバー１００ａとボタンベース６１０との間からカメラ本体１００の内部に水や塵埃が侵入することが防止される。さらに、アンダー操作部材９９の外周に環状に形成された斜面部９９ｂと弾性部材７１０の内周に環状に設けられた凸部７１０ａとが全周で接触する。これにより、シャッタボタン１０３と外装カバー１００ａとの間から水や塵埃がカメラ本体１００の内部に侵入することが防止される。
【００４８】
ＯＴＰ５はフレキシブル基板８１０に実装されており、フレキシブル基板８１０はアンダー操作部材９９に形成された穴部９９ｃを通ってカメラ本体１００内のメイン基板に接続されている。
【００４９】
アンダー操作部材９９の下には、導電性のリーフスイッチ７７７，８８８，９９９が配置されている。ユーザによりシャッタボタン１０３が第１ストロークだけ押されると、リーフスイッチ７７７とリーフスイッチ８８８により構成されるスイッチＳＷ１が導通して第１のシャッタスイッチ信号が発生する。さらにシャッタボタン１０３が第２ストロークだけ押されると、リーフスイッチ８８８とリーフスイッチ９９９により構成されるスイッチＳＷ２が導通して第２のシャッタスイッチ信号が発生する。
【００５０】
図５は、カメラシステム１０００（カメラ本体１００および交換レンズユニット１５０）の電気的構成を示している。前述したように撮像レンズ１５５を備えた交換レンズユニット１５０は、レンズ制御回路２０１と、該レンズ制御回路２０１がカメラ本体１００と通信を行うための通信端子６６とを有する。
【００５１】
レンズ制御回路２０１は、絞り駆動回路２０３を介して絞り２０４の駆動を制御したり、ＡＦ駆動回路２０２を介して撮像レンズ１５５に含まれる不図示のフォーカスレンズを光軸９００に沿って移動させてフォーカシングを行ったりする。レンズ制御回路２０１には、ＡＦ−ＯＮボタン８０ｃ，８０ｄの前述したスイッチ部７１と、ＯＴＰ５，６とが接続されている。
【００５２】
一方、カメラ本体１００は、撮像素子２２、測光回路１０６、焦点検出部１１およびシステム制御部（制御手段）５０を有する。システム制御部５０は、通信端子１０を介して交換レンズユニット１５０（レンズ制御回路２０１）と通信を行うことができる。
【００５３】
撮像素子２２は、ＣＭＯＳセンサにより構成され、撮像レンズ１５５により形成された被写体像（光学像）を光電変換してアナログ撮像信号を出力する。測光回路１０６は、測光センサ１７により、クイックリターンミラー１２を介してフォーカシングスクリーン１３上に結像した被写体の輝度を測光する。測光回路１０６は、測光結果をシステム制御部５０に送る。
【００５４】
焦点検出部１１は、撮像レンズ１５５から後述するミラーダウン状態にあるクイックリターンミラー１２およびサブミラー３０を介して入射する光により形成される被写体像を光電変換して対の被写体像信号を生成し、これら対の被写体像信号を用いた位相差検出方式により撮像レンズ１５５のデフォーカス量を算出する。焦点検出部１１は、算出したデフォーカス量をシステム制御部５０に出力する。
【００５５】
システム制御部５０は、デフォーカス量に基づいて算出したレンズ駆動量をレンズ制御回路２０１に送信する。レンズ制御回路２０１は、受信したレンズ駆動量に応じてＡＦ駆動回路２０２を介してフォーカスレンズを駆動して制御することで位相差ＡＦを行う。なお、焦点検出部１１ではなく、撮像素子２２を用いた撮像面位相差ＡＦを行ってもよいし、コントラストＡＦ（ＴＶ−ＡＦ）を行うようにしてもよい。
【００５６】
システム制御部５０は、ミラー駆動回路１０１を介してクイックリターンミラー１２およびサブミラー３０のアップダウン駆動を制御する。クイックリターンミラー１２が図示のように撮像光路内に配置されたミラーダウン状態では、撮像レンズ１５５から入射した光がフォーカシングスクリーン１３に向けて反射され、フォーカシングスクリーン１３上に被写体像を形成する。これにより、ユーザは、ファインダ接眼レンズ１６およびペンタプリズム１４を介してフォーカシングスクリーン１３上の被写体像を観察することができ、また測光センサ１７による測光が可能となる。
【００５７】
フォーカシングスクリーン１３、ペンタプリズム１４およびファインダ接眼レンズ１６により構成される光学ファインダ内には、表示部としてのファインダ内表示器４１が設けられている。ファインダ内表示器４１は、システム制御部５０により制御されるファインダ内表示駆動回路１１１によって駆動されて、被写体像に重ねて表示されるＡＦ枠や、シャッタスピード、ＩＳＯ感度、絞りおよび露出補正値等の各種情報を表示する。
【００５８】
クイックリターンミラー１２が撮像光路外に退避したミラーアップ状態では、撮像レンズ１５５から入射してシャッタ９１を通過した光が撮像素子２２上に被写体像を形成する。これにより、撮像素子２２による被写体像の撮像（光電変換）が可能となり、ライブビュー撮像や記録用撮像が行われる。シャッタ９１は、システム制御部５０からの指示を受けたシャッタ駆動回路９２により開閉駆動され、撮像素子２２の露光を制御する。
【００５９】
撮像素子２２から出力されたアナログ撮像信号は、クランプ／ＣＤＳ回路３４およびＡＧＣ３５を介してＡ／Ｄ変換器２３に送られる。Ａ／Ｄ変換器２３はアナログ撮像信号をデジタル撮像信号に変換する。画像処理部２４は、デジタル撮像信号またはメモリ制御部１５からの画像データに対して画素補間処理、リサイズ処理および色変換処理を行う。また画像処理部２４は、デジタル撮像信号を用いて露光制御および焦点検出制御のための演算処理を行う。システム制御部５０は、画像処理部２４の演算結果を用いて、ＡＦ処理、ＡＥ処理、ＡＷＢ処理およびＥＦ処理を行う。
【００６０】
メモリ３２は、デジタル撮像信号から生成された撮像画像データや背面モニタ２８に表示するための表示用画像データを格納する。画像処理部２４には、画像データを一時的に記録するためバッファメモリ３７が接続されている。またメモリ制御部１５には、インターフェース４０を介して記録媒体２００が接続されている。背面モニタ２８は、液晶パネルや有機ＥＬパネルにより構成され、前述したように撮像画像や各種情報、さらにＡＦ枠が表示される。また背面モニタ２８の表示面には、前述したようにタッチパネルセンサ７２が設けられている。
【００６１】
不揮発性メモリ５６は、システム制御部５０の動作用の定数およびプログラム等が記憶されている。
【００６２】
システム制御部５０には、スイッチセンス回路９３を介してスイッチ部７０が接続されている。スイッチ部７０には、前述したＡＦ−ＯＮボタン８０ａ，８０ｂのスイッチ部が含まれている。またスイッチセンス回路９３には、電源スイッチ４３、ＯＴＰ１〜４およびシャッタスイッチ１０３，１０５のスイッチＳＷ１，ＳＷ２が接続されている。
【００６３】
システム制御部５０は、ＯＴＰ１〜６のそれぞれの出力に基づいて、検出面８０ｆへのユーザの指の接触（以下、タッチ操作という）と、検出面８０ｆ上での指の移動（以下、スライド操作という）とを検出する。さらにシステム制御部５０は、スライド操作での指の移動方向を上、下、左、右、左上、左下、右上および右下の８方向から検出し、該スライド操作における指の２次元方向（ｘ方向およびｙ方向）での移動量（以下、移動量（ｘ，ｙ）という）も検出する。
【００６４】
システム制御部５０は、検出したスライド操作の方向および移動量（ｘ，ｙ）に応じて、ＡＦ枠の移動後の位置を算出する。そしてシステム制御部５０は、移動後のＡＦ枠の位置を背面モニタ２８およびファインダ内表示器４１のうち少なくとも一方に表示する。ＡＦ枠の表示例については後述する。
【００６５】
カメラ本体１００内の電源４２は、カメラ本体１００および交換レンズユニット１５０の各部に電力を供給する。電源４２は、ＡＣ電源（ＡＣアダプタ）８０と二次電池８１を含む。さらに、電源４２は、電源供給回路１１０を介してシステム制御部５０に電力を供給する。システム制御部５０は、バッテリチェック回路１０８によって二次電池８１の残量をチェックする。
【００６６】
図６（Ａ）は光学ファインダ内に表示される画像を示し、図６（Ｂ）は背面モニタ２８に表示される画像を示す。これらの図は、ユーザが右手３０１で第１のグリップ部１０１を握ってＯＴＰ１を右手の親指３０１ｂで操作している場合を示している。矢印９０１は、ユーザがＯＴＰ１に対してスライド操作を行ったことを示している。システム制御部５０は、ＯＴＰ１からの出力に基づいてこのスライド操作での親指３０１ｂの移動方向と移動量を検出する。
【００６７】
図６（Ａ）において、ファインダ内表示器４１に表示されたＡＦ枠４０５ａはスライド操作前のＡＦ枠であり、これがスライド操作の方向（矢印９０１）と同じ方向（矢印９０２）のＡＦ枠４０５の位置に移動する。同様に、図６（Ｂ）において、背面モニタ２８に表示されたＡＦ枠３０５ａはスライド操作前のＡＦ枠であり、これがスライド操作の方向（矢印９０１）と同じ方向（矢印９０３）のＡＦ枠３０５の位置に移動する。
【００６８】
なお、システム制御部５０は、各ＯＴＰに対するタッチ操作およびスライド操作の受け付けを行うか否かを切り替えることができる。またシステム制御部は、各ＯＴＰに対するタッチ操作およびスライド操作をＡＦ処理中においても受け付けることができる。
【００６９】
以上説明したように、本実施例のカメラシステム１０００では、ＯＴＰに対するタッチ操作に応じてＡＦ処理を開始することができ、ＯＴＰに対するスライド操作の方向と量に応じてＡＦ枠を移動させることができる。このため、ユーザは、ＯＴＰから指を移動させることなくＡＦ処理を開始させたりＡＦ枠を移動させたりすることができる。
【００７０】
本実施例では、ＯＴＰに対するタッチ操作に応じてＡＦ処理を開始し、ＯＴＰに対するスライド操作に応じてＡＦ枠を移動させる場合について説明したが、他の処理を開始させたり該処理に関する選択や設定を行ったりすることも可能である。例えば、ＯＴＰに対するタッチ操作に応じて背面モニタ２８にメニュー画面を表示し、ＯＴＰに対するスライド操作に応じてメニュー画面上をカーソルが移動するようにし、さらなるタッチ操作に応じてカーソルが示すメニュー項目（シャッタスピード、ＩＳＯ感度、絞りおよび露出補正値等）が変更されたり動作（再生画像の拡大縮小や早送り等）が行われたりするようにしてもよい。
【００７１】
なお、ＯＴＰをボタン以外の操作部材に組み込んでもよい。例えば、タッチパネル、ジョイスティック、回転ダイヤル等である。
【００７２】
以上説明した各実施例は代表的な例にすぎず、本発明の実施に際しては、各実施例に対して種々の変形や変更が可能である。
【符号の説明】
【００７３】
１〜６  光学トラッキングポインタ（ＯＴＰ）
８０ａ〜８０ｄ  ＡＦ−ＯＮボタン
８０ｆ  検出面
１０３，１０５  シャッタボタン
８８０  光学部材
８８０ａ  検出用レンズ部
８８１  光源
８８２  受光センサ
【図１】
2020181373.tif 000003
【図２】
2020181373.tif 000004
【図３】
2020181373.tif 000005
【図４】
2020181373.tif 000006
【図５】
2020181373.tif 000007
【図６】
2020181373.tif 000008
【図７】
2020181373.tif 000009
【図８】
2020181373.tif 000010